(57)【要約】  【課題】蓄冷材の取り扱いが容易である上、蓄冷材が蓄冷機能を果たした後、衛生的に問題なく飲用に供することができる冷風機を提供すること。  【解決手段】  蓄冷材を用いた冷風機であって、断熱性を有する保冷容器と、保冷容器の内部に収容される蓄冷材と、保冷容器内の空気を外部に排出するファンとを備えており、蓄冷材が、飲料が入った飲料容器を冷凍したものであることを特徴とするものである。【選択図】図１
0003115995.tif 000002
【実用新案登録請求の範囲】
【請求項１】
蓄冷材を用いた冷風機であって、
断熱性を有する保冷容器と、保冷容器の内部に収容される蓄冷材と、保冷容器内の空気を外部に排出するファン装置とを備えており、
蓄冷材が、飲料が入った飲料容器を冷凍したものであることを特徴とする冷風機。
【請求項２】
保冷容器には、ファン装置を収容するためのファン収容部が設けられており、ファン収容部には、ファン装置から排出された空気を外部に放出する吹出口が設けられているとともに、保冷容器には、外気を取り入れる吸気口と、前記ファン収容部に連通する連通口とが、それぞれ開閉可能に設けられていることを特徴とする請求項１に記載の冷風機。
【請求項３】
保冷容器の内壁部と保冷容器内に収容された蓄冷材との間に、蓄冷材の結露を吸水するための吸水部材が配置されており、前記吸水部材が通気性を備えていることを特徴とする請求項１または２に記載の冷風機。
【請求項４】
複数の保冷容器を有し、各保冷容器が吸気口を介して連結されており、少なくともいずれか１つの保冷容器にファン収容部が設けられていることを特徴とする請求項２または３に記載の冷風機。
【考案の詳細な説明】
【技術分野】
【０００１】
本考案は、蓄冷材を用いた冷風機に関するもので、特に、蓄冷材が蓄冷機能を果たした後、飲用に供することができる冷風機に関するものである。
【背景技術】
【０００２】
従来、この種の冷風機としては、携帯用のコップに取り付け可能で、ストロー挿入口を備えたケーシング内に、ファンとモータと電源とを備えたものが提案されている。この冷風機は、冷たい飲料が入った携帯用のコップに取り付けられて、ファンによって前記コップ内の冷気を外部に吹き出すとともに、ストロー挿入口からコップ内にストローを挿入し、適温になったコップ内の飲料を飲むことができるようになっている。（例えば特許文献１参照）。
【特許文献１】実開平２−１４９４号公報
【考案の開示】
【考案が解決しようとする課題】
【０００３】
しかしながら、上記の冷風機は、飲料の入ったコップに直接取り付けられるため、コップ内の飲料が外気に曝されて不衛生である上、誤ってコップ内の飲料がこぼれて、ファンやモータや電源にかかり、漏電したり故障したりするなどの問題が生ずる恐れがある。
本考案は、以上の問題点に鑑み考案されたものであって、蓄冷材の取り扱いが容易である上、蓄冷材が蓄冷機能を果たした後、衛生的に問題なく飲用に供することができる冷風機を提供することを目的としている。
【課題を解決するための手段】
【０００４】
上記課題を解決するために、請求項１に記載の考案の冷風機は、蓄冷材を用いた冷風機であって、断熱性を有する保冷容器と、保冷容器の内部に収容される蓄冷材と、保冷容器内の空気を外部に排出するファン装置とを備えており、蓄冷材が、飲料が入った飲料容器を冷凍したものであることを特徴とするものである。
請求項２に記載の考案の冷風機は、請求項１に記載の考案の冷風機において、保冷容器にファン装置を収容するためのファン収容部が設けられており、ファン収容部に、ファン装置から排出された空気を外部に放出する吹出口が設けられているとともに、保冷容器に、外気を取り入れる吸気口と前記ファン収容部に連通する連通口とが、それぞれ開閉可能に設けられていることを特徴とするものである。
請求項３に記載の考案の冷風機は、請求項１または２に記載の考案の冷風機において、保冷容器の内壁部と保冷容器内に収容された蓄冷材との間に、蓄冷材の結露を吸水するための吸水部材が配置されており、前記吸水部材が通気性を備えていることを特徴とするものである。
請求項４に記載の考案の冷風機は、請求項２または３に記載の考案の冷風機において、複数の保冷容器を有し、各保冷容器が吸気口を介して連結されており、少なくともいずれか１つの保冷容器にファン収容部が設けられていることを特徴とするものである。
【考案の効果】
【０００５】
請求項１に記載の考案の冷風機によれば、保冷容器内の空気が、飲料容器の表面との間で熱交換されることによって冷却された後、ファン装置によって外部に排出されるため、冷風による涼感が得られる。
また、飲料容器内の冷凍された飲料が、融解して蓄冷材としての機能を果たした後には、この飲料容器内の飲料を飲用できる上、使用後の冷風機の重量を軽量化することもできる。
請求項２に記載の考案の冷風機によれば、ファン装置を駆動させないときに、保冷容器に設けられている吸気口と連通口とを閉止することにより、保冷容器の断熱性を高め、飲料容器の保冷状態を良好に維持することができる。
請求項３に記載の考案の冷風機によれば、保冷容器内の空気が、蓄冷材の結露を吸収した吸水部材を通過することにより、吸水部材に吸水された水分を気化させるため、保冷容器内の空気を効果的に冷却することができる。
請求項４に記載の考案の冷風機によれば、複数の保冷容器が連結されているので、各保冷容器内に収容されている複数の蓄冷材によって、保冷容器内の空気を効果的に冷却できる上、長時間にわたって冷風を放出させることができる。
【考案を実施するための最良の形態】
【０００６】
以下、本考案の第１の実施形態にかかる冷風機を図面に基づいて説明する。
【０００７】
本実施形態の冷風機１ａは、図１に示すように、飲料の入った飲料ボトル２と、この飲料ボトル２を収容する保冷容器３と、ファン装置４１が内蔵されたファン収容部としてのファンユニット４と、ファン装置４１に給電する電源ユニット５とから構成されている。
【０００８】
飲料ボトル２は、内容量１．５リットルサイズのポリエチレンテレフタレート（ＰＥＴ）樹脂製のボトル本体２１と、ボトル本体２１の注ぎ口に取り付けられるポリエチレン樹脂製のキャップ２２とからなる。
飲料ボトル２は、例えばお茶や水などの飲料を入れたボトル本体２１を冷凍室等に入れて、ボトル本体２１内の飲料を完全に冷凍したもので、ボトル本体２１内で溶けた飲料が外部に漏れないように、飲み口にはキャップ２２が取り付けられている。
【０００９】
保冷容器３は、上部に開口部７１を備えた有底角筒状の容器本体７と、容器本体７の開口部７１に取り付けられる蓋体８と、容器本体７内の所定の位置に飲料ボトル２を配置するためのボトル支持体９と、飲料ボトル２の結露を吸収した後、気化させる気化フィルター装置１０とから構成されている。
【００１０】
容器本体７は、合成樹脂製で、内壁面が断熱材１１で被覆されており、容器本体７内の底面には、吸水性を有するスポンジシート１２が敷設されている。容器本体７の壁面の下部には、外気を容器本体７の内部に取り入れる吸気口７２と、この吸気口７２を開閉する吸気口開閉部材１３が設けられている。吸気口開閉部材１３は、容器本体７の側壁に対して着脱可能に取り付けられている。
【００１１】
蓋体８は、断熱性を有する合成樹脂材料で形成されており、容器本体７の開口部７１に直接取り付けられる蓋本体８１と、蓋本体８１に取り付けられるスライド開閉部８２とから構成されている。
蓋本体８１は、図１，図３に示すように、容器本体７の開口部７１を閉鎖可能な略矩形状で、蓋本体８１の中央部には、上方に突出する平面視円形状の凸部８１１が形成されており、凸部８１１の裏面側には、飲料ボトル２のキャップ２２に挿嵌可能な凹部８１２が形成されている。また、蓋本体８１には、８個の細長い通気口８１３が、凸部８１１を中心にして放射状に設けられている。
スライド開閉部８２は、円板状で、スライド開閉部８２の中心部には、蓋本体８１の凸部８１１を挿通可能な挿通孔８２１が穿設されている。また、スライド開閉部８２には、図３に示すように、蓋本体８１の通気口８１３と同一形状のスライド窓８２３が、凸部８１１を中心にして放射状に設けられている。また、スライド開閉部８２の端部には径方向に延出するスライド用レバー８２２が設けられている。
スライド開閉部８２は、挿通孔８２１に凸部８１１を挿通させて、蓋本体８１に取り付けた状態で、蓋本体８１に対して回転自在となっており、図３に示すように、スライド用レバー８２２を水平方向に揺動させることにより、蓋本体８１の通気口８１３が開閉可能となっている。
【００１２】
ボトル支持体９は、図１に示すように、飲料ボトル２の底部を受け止める受け板９１と、受け板９１の中央部に取り付けられている円錐状のコイルバネ９３とから構成されており、後述する気化フィルター装置１０のフィルター支持部材１０２における架設部材１０６上に設置されている。受け板９１は、熱伝導性と耐腐食性とに優れたステンレス鋼製の金網からなり、容器本体７内部の横断面形状とほぼ同じ形状に形成されている。コイルバネ９３は、飲料ボトル２のボトル本体２１の底部に形成されている凹部２０１に嵌合可能で、受け板９１に飲料ボトル２を設置したときに、飲料ボトル２の底部により圧縮されて、バネの復元力によって飲料ボトル２を上方に押すように構成されている。
【００１３】
気化フィルター装置１０は、吸水性および通気性を有する不織布からなる吸水フィルター１０１と、この吸水フィルター１０１が取り付けられるフィルター支持部材１０２とから構成されている。
フィルター支持部材１０２は、図４に示すように、容器本体７の内壁面に沿う略矩形状のベース枠１０３と、ベース枠１０３の四隅から垂直上向きに延びる４本の支柱１０４と、各支柱１０４間に架設される支持枠１０５と、対向配置される一対の支持枠１０５間に架設される架設部材１０６とから構成されている。各支柱１０４の先端部には、フィルター支持部材１０２の中央部に向かって、約４５度の傾斜角度で、「く」の字状に屈曲する屈曲部１０７が形成されている。屈曲部１０７は、吸水フィルター１０１は、フィルター支持部材１０２の底面と四囲とを取り囲むように取り付けられており、吸水フィルター１０１の上端部は、支柱１０４の屈曲部１０７に沿って取り付けられた後、支柱１０４の先端部に係止されている。そして、吸水フィルター１０１には、屈曲部１０７に沿って伸縮ゴム１０８が取り付けられて、図５に示すように、飲料ボトル２のボトル本体２１の周囲にフィットするボトル挿通口１０９を形成している。また、フィルター支持部材１０２の一部は、吸水フィルター１０１によって閉止されずに、容器本体７の吸気口に連通する通気孔１１０が形成されている。なお、この通気孔１１０を介して、容器本体７内の底面とボトル支持体９の受け板９１の間に形成される空間Ｓ２におしぼり用のタオルＴが収納可能となっている。
【００１４】
ファンユニット４は、保冷容器３の上部に着脱可能に取り付けられており、ケーシング４２と、ケーシング４２内に収容されるファン装置４１と、ファン装置４１の駆動を制御する駆動制御部４３とを備えている。
ケーシング４２は、合成樹脂製で、図２に示すように、保冷容器３の横断面形状と略同一形状の天板部４２１と、天板部４２１の端部から立ち上がる側壁部４２２とから構成されている。側壁部４２２には、ファン装置４１から送られてくる空気を外部に放出するための吹出口４２３が設けられている。また、側壁部４２２の内壁面は、断熱材１５で被覆されている。
ファン装置４１は、駆動モータ内蔵型のシロッコファンで、吸気側がケーシング４２の開口側に位置し、排気側がケーシング４２の吹出口４２３側に位置するように、天板部４２１に取り付けられている。
駆動制御部４３は、天板部４２１の表面に配置されている操作部４４と、操作部４４の操作により、電源の電圧制御を行う図示しない制御回路とから構成されており、操作部４４には、電源スイッチ４４１および風量調整つまみ４４２が設けられている。
【００１５】
電源ユニット５は、図１に示すように、保冷容器３の下部に、着脱可能に取り付けられており、ケーシング５１と、ケーシング５１内に設けられる電池収納部５２と、電池収納部５２内に配置される電池５３と、ファン装置４１に給電するための図示しない配線とから構成されている。ケーシング５１は、合成樹脂製で、保冷容器３の横断面形状と略同一形状の底板部５１１と、底板部５１１の端部から立ち上がる側壁部５１２とから構成されており、側壁部５１２には、図示しない外部電源を接続するためのアダプタージャック５１３が設けられている。
【００１６】
次に、本実施形態の冷風機１ａの使用手順について説明する。まず、飲料ボトル２を保冷容器３内に収納する。すなわち、保冷容器３からファンユニット４を取り外した後、容器本体７から蓋体８を取り外し、容器本体７の上端開口部から飲料ボトル２を収納し、吸水フィルター１０１のボトル挿通口１０９に飲料ボトル２のボトル本体２１を挿通させ、吸水フィルター１０１を容器本体７の内壁部と、容器本体７内に収容された飲料ボトル２との間に介在させる。このとき、ボトル支持体９の受け板９１上のコイルバネ９３に、ボトル本体２１の凹部２０１を嵌合させて、飲料ボトル２を受け板９１上の中央部に配置させる。コイルバネ９３は、飲料ボトル２からの圧縮荷重に対する復元力によって、ボトル本体２１の凹部２０１に密着し、飲料ボトル２の下端部側の位置ズレが防止される。
【００１７】
次に、容器本体７の上端開口部に蓋体８を取り付ける。具体的には、蓋本体８１の凹部８１２に飲料ボトル２のキャップ２２を嵌合させた状態で、蓋本体８１を容器本体７に取り付ける。
キャップ２２は、蓋本体８１の凹部８１２に嵌合するので、飲料ボトル２の上端部側の位置ズレが防止される。蓋本体８１を容器本体７に取り付けた後、スライド開閉部８２を蓋本体８１に取り付ける。つまり、挿通孔８２１に蓋本体８１の凸部８１１を挿通させて、スライド開閉部８２を蓋本体８１の凸部８１１を中心に回動可能に取り付ける。そして、蓋本体８１の通気口８１３とスライド開閉部８２の挿通口８２１とを一致させて、容器本体７の内外を連通させる。
【００１８】
容器本体７に蓋体８を取り付けた後、保冷容器３の上部にファンユニット４を取り付ける。ファンユニット４は、ファン装置４１の吸気側を蓋体８に対向させて配置する。
最後に、電源ユニット５のアダプタージャック５１３に外部電源を接続するか、若しくは電源ユニット５内の電池収納部５２に電池５３を収納する。
【００１９】
そして、操作部４４の電源スイッチ４４１を入れると、電源からファン装置４１に電気が供給されて、ファン装置４１が回転する。なお、風量調整つまみ４４２を調整すると、駆動制御部４３によってファン装置４１の回転数が制御され、風量が調整される。
【００２０】
ファン装置４１が回転を開始すると、保冷容器３の下部に設けられた吸気口７２から保冷容器３内に外気が取り込まれる。取り込まれた外気は、気化フィルター装置１０の通気孔１１０および吸水フィルター１０１を介して保冷容器３内に流入し、受け板９１の網目および吸水フィルター１０１を通過する。受け板９１は、熱伝導性に優れたステンレス鋼製であるため、冷凍された飲料ボトル２を載置するとすぐに冷却され、保冷容器３内の空気と熱交換を行い、保冷容器３内の空気を冷却する。気化フィルター装置１０の吸水フィルター１０１は、飲料ボトル２のボトル本体２１の表面に発生した結露を吸収しているため、外部から取り込まれた空気が、水分を含んだ吸水フィルター１０１を通過すると、吸水フィルター１０１に吸収されている水分が気化し、その気化熱によって通過する空気が冷却される。このようにして、受け板９１と吸水フィルター１０１とによって冷却された冷気は、ボトル本体２１と容器本体７との間の空間部Ｓ１を通過しながら、飲料ボトル２との間で熱交換が行われて、さらに冷却される。
そして、冷気は、蓋本体８１の通気口８１３とスライド開閉部８２のスライド窓８２３とを通過して、ファンユニット４内に流入し、ファン装置４１に吸い込まれた後、吹出口４２３から外部に放出される。
【００２１】
以上詳細に説明した通り、本実施形態の冷風機１ａによれば、ファン装置４１を駆動させることにより、外気が、吸気口７２から保冷容器３に取り入れられ、保冷容器３内に収納された飲料ボトル２のボトル本体２１の表面との間で熱交換されて冷却された後、ファン装置４１によって吹出口４２３から外部に放出されるため、冷風による涼感が得られる。
【００２２】
また、蓄冷材が、飲料が入った飲料ボトル２を冷凍したものであり、注ぎ口がキャップ２２で閉止されているので、溶け出した飲料が漏れたり零れたりせず、取り扱いが簡単である。さらに、飲料ボトル２内の冷凍された飲料が融解して、蓄冷材としての機能を果たした後には、程よく冷えた飲料を飲用できるという利点がある。その上、飲料ボトル２内の飲料を飲用することにより、飲料ボトル２内が空になるので、使用後の冷風機１ａの重量を軽量化することができる。
【００２３】
また、冷風機１ａを作動させない時には、スライド開閉部８２のスライド用レバー８２２を水平方向に揺動させて、スライド開閉部８２のスライド窓８２３を、蓋本体８１の通気口８１３からずらして、蓋本体８１の通気口８１３をスライド開閉部８２のスライド窓８２３以外の部分で閉止するとともに、容器本体７の下部の吸気口１２を吸気口開閉部材１３で閉止して、保冷容器３内外の空気の流通を遮断すれば、保冷容器３の断熱効果によって、飲料ボトル２内の冷凍飲料の融解を抑止でき、また、完全に融解した後でも、飲用に適した温度を長時間維持することができる。さらに、容器本体７の底面と受け板９１の間に形成される空間Ｓ２に、通気孔１１０を介しておしぼり用の濡れたタオルＴを収納しておけば、飲料ボトル２によって冷却された受け板９１と、飲料ボトル２のボトル本体２１に発生する冷たい結露水とによって、タオルＴが冷却されるため、冷たいおしぼりとして使用できる。
【００２４】
また、ボトル挿通口１０９には、伸縮ゴム１０８が取り付けられており、開口部の形状や大きさが変更可能に形成されているので、ボトル本体２１の形状に関わらず、ボトル本体２１の周囲に隙間なくフィットさせることができ、ボトル本体２１の表面に発生する結露水を効率よく吸水フィルター１０１に吸収させることができる。また、吸水フィルター１０１は、ボトル本体２１側から容器本体７の内壁側に向かって斜め下向きに約４５度傾斜して配置されているので、ボトル本体２１の表面に発生する結露水をよりスムーズに吸水フィルター１０１に吸収させることができる。
【００２５】
さらに、本実施形態の冷風機１ａは、保冷容器３に対して、ファンユニット４と吸気口開閉部材１３とが着脱可能であるので、複数の保冷容器３ａ，３ｂを連結することにより、以下に示す第２の実施形態の冷風機１ｂを構成することもできる。
【００２６】
すなわち、第２の実施形態の冷風機１ｂは、図６に示すように、ファンユニット４を備えた保冷容器３ａと、ファンユニット４を取り外した保冷容器３ｂとを、各保冷容器３ａ，３ｂから吸気口開閉部材１３を取り外した状態で、双方の吸気口７２，７２を対向させるように配置し、双方の吸気口７２，７２に両端が開口した筒状の連結スリーブ１４を挿嵌して、両保冷容器３ａ，３ｂの容器本体７，７内を連通させた後、両保冷容器３ａ，３ｂの周囲に固定バンドＢを取り付けて、両保冷容器３ａ，３ｂを固定することにより構成されている。電源ユニット５，５同士は、図示しない配線で接続されており、両電源ユニット５，５からファンユニット４に給電させるようにしている。
【００２７】
そして、ファンユニット４の操作部４４を操作して、ファン装置４１を作動させると、外気は、保冷容器３ａの蓋体８に形成されている通気口８１３およびスライド窓８２３を介して保冷容器３ａ内に取り入れられ、飲料ボトル２との間で熱交換が行われ、冷却される。冷却された冷気は、気化フィルター装置１０や受け板９１の網目を通過して、連結スリーブ１４内を通過し、もう一方の保冷容器３ｂ内に流入する。冷気は、保冷容器３ｂ内でさらに冷却された後、保冷容器３ｂの蓋体８に形成されている通気口８１３およびスライド窓８２３を介してファンユニット４内に流入し、ファン装置４１に吸い込まれ、ファンユニット４の吹出口４２３から外部に放出されるのである。
【００２８】
このように、本実施形態の冷風機１ｂによれば、蓄冷材としての飲料ボトル２を２本備えているので、冷却効果が高い上、長時間冷風を放出できる。なお、本実施形態では、２個の保冷容器３ａ，３ｂを連結したが、これに限られず、３個以上の保冷容器を連結しても構わない。このようにすれば、より冷却効果が高く、長時間冷風を放出することができる。
【００２９】
なお、上記実施形態の冷風機１ａ，１ｂはいずれも、保冷容器３（３ａ，３ｂ）内に内容量１．５リットルサイズの飲料ボトル２を収容可能な寸法にしているが、２リットルサイズの飲料ボトルも収容可能である。また、冷風機１ａ，１ｂの寸法は、上記実施形態に限られず、例えば、５００ミリリットル、８００ミリリットルサイズなど小型の飲料ボトルを収容可能な寸法にしても構わない。冷風機が小型であれば、持ち運びに便利である上、例えば、卓上や枕もとなど狭い場所にも設置できるという利点がある。
【００３０】
また、電源としては、乾電池や充電池のほかに、太陽電池を併用してもよい。また、外部電源として、自動車のバッテリを利用してもよいし、ＡＣアダプタを介して家庭用電源を使用してもよい。
【００３１】
また、飲料ボトル２は、ＰＥＴ樹脂製ボトルに限られず、他の樹脂製ボトルであってもよいし、缶や瓶などのボトルであっても構わない。また、最近では、冷凍された飲料ボトルが販売されており、手軽に冷凍飲料ボトルを入手できるので、このような冷凍飲料ボトルを使用すれば、飲料ボトルを自分で冷凍する手間が省ける上、外出先でも新しい冷凍飲料ボトルに取り替えるだけで、継続して冷風を発生させることができるので、便利である。
【００３２】
最後に、第１の実施形態の冷風機１ａの冷却効果を検証するために行った実験結果を示す。
【００３３】
（実験条件）室温３０℃において、水を入れて完全に凍らせた１．５リットルサイズのＰＥＴ樹脂製の飲料ボトル２を、第１の実施形態の冷風機１ａの保冷容器３内にセットして、ファン装置４１を作動させ、吹出口４２３での冷風の温度を温度センサーにより３０分ごとに測定した。
【００３４】
（測定結果）測定結果を表１に示す。
【００３５】
【表１】
0003115995.tif 000003
【００３６】
（結論）
測定開始時刻から３時間後、飲料ボトル２内の氷が完全氷解するまで、室温よりも約３℃〜４℃低い冷風を継続して放出できることが実証された。
【図面の簡単な説明】
【００３７】
【図１】本考案の第１の実施形態にかかる冷風機１ａの縦断面図である。
【図２】図１におけるＸ−Ｘ断面図である。
【図３】図１におけるＹ−Ｙ断面図である。
【図４】フィルター支持部材１０２の外観斜視図である。
【図５】図１におけるＺ−Ｚ断面図である。
【図６】本考案の第２の実施形態にかかる冷風機１ｂの縦断面図である。
【符号の説明】
【００３８】
１ａ    冷風機
１ｂ    冷風機
２      飲料ボトル（飲料容器）
３      保冷容器
３ａ    保冷容器
３ｂ    保冷容器
４      ファンユニット（ファン収容部）
４１    ファン装置
４２３  吹出口
７２    吸気口
８１３  通気口（連通口）
８２１  挿通孔（連通口）
１０１  吸水フィルター（吸水部材）
【図１】
0003115995.tif 000004
【図２】
0003115995.tif 000005
【図３】
0003115995.tif 000006
【図４】
0003115995.tif 000007
【図５】
0003115995.tif 000008
【図６】
0003115995.tif 000009